(57)【要約】【課題】  側壁部の全体形状が安定し、保形性が向上する容器を提供する。【解決手段】  容器本体１は、底面部１６と、底面部１６の周縁１７より上方に立ち上がる側壁部１８とからなる。側壁部１８は、所定間隔をおいて配置された差込片３１及び３２と、差込片３１及び３２の間に配置された被差込片３６とを含む。差込片３１ａの上端部の一部に上方に延びる突出部４１ａが形成されている。被差込片３６の開口部５１ａ（図示せず）に、差込片３１ａの突出部４１ａが係合するように、係合保持手段２１として差し込まれている。これにより、差込片３１ａ及び被差込片３６の係合状態が安定するため、容器本体１の保形性が向上する。又、突出部４１ａが開口部５１ａ（図示せず）に係合すると、係合状態が目視できるため、組立の信頼性が向上する。【選択図】  図２
2014221019.tif 000002
【特許請求の範囲】
【請求項１】
底面部と、前記底面部の周縁より上方に立ち上がる側壁部とからなる容器本体を含む、容器であって、
前記側壁部は、
周方向に所定間隔をおいて配置され、少なくとも２つの差込片と、
前記差込片の各々の間に配置され、前記差込片の周方向の少なくとも一方における所定範囲の部分が抜き差し自在に係合することができる、少なくとも２つの被差込片とを備え、
前記差込片及び前記被差込片は、係合状態を保持する係合保持手段を含む、容器。
【請求項２】
前記被差込片の各々は、板状体を水平方向を折り目として２つ折りにしたものよりなり、
前記差込片の各々は、その上端部が前記折り目の下面に沿って抜き差し自在に差し込まれ、
前記係合保持手段は、
前記差込片の前記上端部の一部に上方に延びるように形成された突出部と、
前記被差込片の前記折り目に形成され、前記突出部が係合する開口部とを含む、請求項１記載の容器。
【請求項３】
前記被差込片の各々は、板状体を水平方向を折り目として２つ折りにしたものよりなり、
前記差込片の各々は、その上端部が前記折り目の下面に沿って抜き差し自在に差し込まれ、
前記係合保持手段は、
前記差込片の前記上端部の一部に上方に延びるように形成された突出部と、
前記被差込片の前記折り目に形成され、前記突出部が係合する凹み部とを含む、請求項１記載の容器。
【請求項４】
前記差込片の各々及び前記被差込片の各々は、前記底面部と共に１枚の板状素材から一体的に形成される、請求項２又は請求項３記載の容器。
【請求項５】
前記被差込片の各々は、容器外面に位置する外面部と折り返されて容器内面に位置する内面部とからなり、前記内面部の下縁は直線部と前記直線部の一部から下方に突出する凸部で構成され、
容器本体は、平板形状を有し、前記被差込片の各々の間に前記底面部に向かって押し込むように設置され、前記被差込片の各々に対向する両端縁において、前記凸部に係合する切欠きが形成されると共に前記切欠きの周囲の外縁部分の上面が前記被差込片の各々の前記内面部の下縁に当接する、下敷きパッドを更に備えた、請求項２から請求項４のいずれかに記載の容器。
【請求項６】
前記容器は、上下逆にして蓋として使用される、請求項１から請求項５のいずれかに記載の容器。
【請求項７】
前記側壁部の上に着脱自在に設置できる蓋体を更に備え、
前記蓋体の下端部の一部には下方に延びる垂下片が形成され、
前記被差込片の前記折り目であって前記突出部の横に前記垂下片を抜き差し自在に差し込むことができる開口が形成された、請求項３記載の容器。
【請求項８】
前記蓋体は、請求項１から請求項５に記載のいずれかの容器と同様の容器を上下反転した反転容器が相当し、
前記反転容器の側壁部の一部に切欠きが形成される、請求項７記載の容器。
【発明の詳細な説明】
【技術分野】
【０００１】
この発明は容器に関し、特に猫等の愛玩動物の寝床に用いられる容器に関するものである。
【背景技術】
【０００２】
猫は、狭い所を好むという習性を持つ。特に眠る時にあっては、体を丸めて横たわることができると共に、体を沿わせることができる土鍋のような形状のものに入り込んで眠ることを好むことが知られている。このような猫の習性を踏まえて、以下のような愛玩動物の寝床に用いられる容器が提案されている。
【０００３】
図２３は既に本出願人によって提案されている容器の正面模式図であり、図２４は図２３で示した容器の平面模式図である。
【０００４】
これらの図を参照して、容器７１は、段ボール製の板状体よりなる底面部７２と、底面部７２の周縁より上方に立ち上がる側壁部７３とから構成され、上部が開放されたものである。
【０００５】
側壁部７３は、所定間隔をおいて配置される４つの差込片７６〜７９と、差込片７６〜７９の各々の間に配置される４つの被差込片８１〜８４とからなり、差込片７６〜７９の各々及び被差込片８１〜８４の各々は、側壁部７３の上端部が平面視八角形となるように配置されている。
【０００６】
図２５は、図２３で示した容器の展開模式図であり、図２４の図示方向に対応する図である。
【０００７】
図を参照して、差込片７６〜７９の各々及び被差込片８１〜８４の各々は、底面部７２と共に１枚の板状素材から一体的に形成されている。
【０００８】
ここで、容器の組立に際して、図２５で示した差込片７６及び被差込片８１を中心に説明する。尚、差込片７７〜７９の各々は差込片７６と同形状であり、被差込片８２〜８４は被差込片８１と同形状であるので、同様にして組立が可能である。
【０００９】
図２５で示した破線の折り目８５、折り目８９ａ及び８９ｂ、折り目８６ａの各々にて谷折りにする。次に、折り目８９ａ及び８９ｂで２つ折りにした被差込片８１の間に、隣接する差込片７６ａを抜き差し自在に差し込む。差込片７６ａ及び同様に差し込まれた差込片７９ｂを挟み込んだ状態で、被差込片８１の上端に形成された突起７４を、底面７２に形成された対向する開口７５に嵌合させる。
【発明の概要】
【発明が解決しようとする課題】
【００１０】
上記のような既に提案されている容器は、被差込片８１〜８４の各々に差し込まれた差込片７６〜７９は抜き差し自在であるため、容器全体としての保形性が不安定なものであった。
【００１１】
ここで、容器全体としての保形性が不安定である状態について説明する。
【００１２】
図２６は図２３で示した容器の内窄まり状態と外拡がり状態の正面模式図であり、図２７は図２３で示した容器の内窄まり状態と外拡がり状態の平面模式図であり、図２６に対応する図である。尚、差込片７７〜７９の各々は差込片７６と同形状であり、被差込片８２〜８４は被差込片８１と同形状であるので、差込片７６及び被差込片８１を中心に説明する。
【００１３】
図２６の（１）及び図２７の（１）を参照して、図２５で示した一点鎖線の折り目８７ａで差込片７６を谷折りにした場合であり、差込片７６ａが被差込片８１に深く差し込まれている。これにより、差込片７６〜７９の各々及び被差込片８１〜８４の各々が内方に傾き、容器７１の形状が内窄まり状態となる。
【００１４】
この内窄まり状態から、図２６の（１）及び図２７の（１）の矢印で示した方向へ外力が加わると、差込片７６〜７９の各々は被差込片８１〜８４の各々に対して抜き差し自在であるので、容器７１の形状が外へ拡がることになる。
【００１５】
次に、容器７１の形状が外拡がり状態となる場合について説明する。
【００１６】
図２６の（２）及び図２７の（２）を参照して、図２５で示した二点鎖線の折り目８８ａで差込片７６を谷折りにした場合であり、差込片７６ａが被差込片８１に浅く差し込まれている。これにより、差込片７６〜７９の各々及び被差込片８１〜８４の各々が外方に傾き、容器７１の形状が外拡がり状態となる。
【００１７】
この外拡がり状態から、図２６の（１）及び図２７の（１）で示された矢印とは反対方向に外力が加わると、容器７１の形状は内に窄まることになる。このように、外力が加わると容器全体の形状が容易に変化してしまっていた。
【００１８】
この発明は、上記のような課題を解決するためになされたもので、側壁部の全体形状が安定し、保形性が向上する容器を提供することを目的とする。
【課題を解決するための手段】
【００１９】
上記の目的を達成するために、請求項１記載の発明は、底面部と、底面部の周縁より上方に立ち上がる側壁部とからなる容器本体を含む、容器であって、側壁部は、周方向に所定間隔をおいて配置され、少なくとも２つの差込片と、差込片の各々の間に配置され、差込片の周方向の少なくとも一方における所定範囲の部分が抜き差し自在に係合することができる、少なくとも２つの被差込片とを備え、差込片及び被差込片は、係合状態を保持する係合保持手段を含むものである。
【００２０】
このように構成すると、差込片及び被差込片の係合状態が安定する。
【００２１】
請求項２記載の発明は、請求項１記載の発明の構成において、被差込片の各々は、板状体を水平方向を折り目として２つ折りにしたものよりなり、差込片の各々は、その上端部が折り目の下面に沿って抜き差し自在に差し込まれ、係合保持手段は、差込片の上端部の一部に上方に延びるように形成された突出部と、被差込片の折り目に形成され、突出部が係合する開口部とを含むものである。
【００２２】
このように構成すると、突出部が開口部に係合すると、差込片の移動が阻止される。
【００２３】
請求項３記載の発明は、請求項１記載の発明の構成において、被差込片の各々は、板状体を水平方向を折り目として２つ折りにしたものよりなり、差込片の各々は、その上端部が折り目の下面に沿って抜き差し自在に差し込まれ、係合保持手段は、差込片の上端部の一部に上方に延びるように形成された突出部と、被差込片の折り目に形成され、突出部が係合する凹み部とを含むものである。
【００２４】
このように構成すると、突出部が凹み部に係合すると、差込片の移動が阻止される。
【００２５】
請求項４記載の発明は、請求項２又は請求項３記載の発明の構成において、差込片の各々及び被差込片の各々は、底面部と共に１枚の板状素材から一体的に形成されるものである。
【００２６】
このように構成すると、容器全体が１枚の板状素材で形成される。
【００２７】
請求項５記載の発明は、請求項２から請求項４のいずれかに記載の発明の構成において、被差込片の各々は、容器外面に位置する外面部と折り返されて容器内面に位置する内面部とからなり、内面部の下縁は直線部と直線部の一部から下方に突出する凸部で構成され、容器本体は、平板形状を有し、被差込片の各々の間に底面部に向かって押し込むように設置され、被差込片の各々に対向する両端縁において、凸部に係合する切欠きが形成されると共に切欠きの周囲の外縁部分の上面が被差込片の各々の内面部の下縁に当接する、下敷きパッドを更に備えたものである。
【００２８】
このように構成すると、内面部の拡がりと下敷きパッドの移動が阻止される。
【００２９】
請求項６記載の発明は、請求項１から請求項５のいずれかに記載の発明の構成において、容器は、上下逆にして蓋として使用されるものである。
【００３０】
このように構成すると、底面部に上方から力が加わっても側壁部が拡がりにくい。
【００３１】
請求項７記載の発明は、請求項３記載の発明の構成において、側壁部の上に着脱自在に設置できる蓋体を更に備え、蓋体の下端部の一部には下方に延びる垂下片が形成され、被差込片の折り目であって突出部の横に垂下片を抜き差し自在に差し込むことができる開口が形成されたものである。
【００３２】
このように構成すると、蓋体を設置した際、差込片と垂下片とが当接する。
【００３３】
請求項８記載の発明は、請求項７記載の発明の構成において、蓋体は、請求項１から請求項５に記載のいずれかの容器と同様の容器を上下反転した反転容器が相当し、反転容器の側壁部の一部に切欠きが形成されるものである。
【００３４】
このように構成すると、内容量が拡大すると共に収容物の出し入れが容易となる。
【発明の効果】
【００３５】
以上説明したように、請求項１記載の発明は、差込片及び被差込片の係合状態が安定するので、容器の保形性が向上する。
【００３６】
請求項２記載の発明は、請求項１記載の発明の効果に加えて、突出部が開口部に係合すると、差込片の移動が阻止されるので、係合状態が目視できるため、信頼性が向上する。
【００３７】
請求項３記載の発明は、請求項１記載の発明の効果に加えて、突出部が凹み部に係合すると、差込片の移動が阻止されるので、突出部のための開口が設けられないため、被差込片の加工用途が広がる。
【００３８】
請求項４記載の発明は、請求項２又は請求項３記載の発明の効果に加えて、容器全体が１枚の板状素材で形成されるので、効率的な容器となる。
【００３９】
請求項５記載の発明は、請求項２から請求項４のいずれかに記載の発明の効果に加えて、内面部の拡がりと下敷きパッドの移動が阻止されるので、容器の保形性がより向上する。
【００４０】
請求項６記載の発明は、請求項１から請求項５のいずれかに記載の発明の効果に加えて、底面部に上方から力が加わっても側壁部が拡がりにくいので、蓋としての形状保持力が向上する。
【００４１】
請求項７記載の発明は、請求項３記載の発明の効果に加えて、蓋体を設置した際、差込片と垂下片とが当接するので、差込片の差込方向の移動が阻止され、蓋体の設置状態が安定する。
【００４２】
請求項８記載の発明は、請求項７記載の発明の効果に加えて、内容量が拡大すると共に収容物の出し入れが容易となるので、使い勝手の良い容器となる。
【図面の簡単な説明】
【００４３】
【図１】この発明の第１の実施の形態による、例えば猫の寝床として用いられる容器の概略斜視図である。
【図２】図１で示した容器の容器本体の正面模式図である。
【図３】図２で示した容器本体の背面模式図である。
【図４】図２で示した容器本体の平面模式図である。
【図５】図２で示した容器本体の底面模式図である。
【図６】図２で示した容器本体の展開模式図であり、図４の図示方向に対応する図である。
【図７】図２で示した容器本体に含まれる下敷きパッドの平面模式図であり、図４の図示方向に対応する図である。
【図８】図２で示した“Ａ”部分の拡大模式図である。
【図９】図３で示した“Ｂ”部分の拡大模式図である。
【図１０】図４で示したＸ−Ｘラインの端面図である。
【図１１】図１０で示した“Ｃ”部分の拡大模式図である。
【図１２】図４で示したＸＩＩ−ＸＩＩラインの端面図である。
【図１３】図１２で示した“Ｄ”部分の拡大模式図である。
【図１４】図１で示した容器の蓋体の正面模式図である。
【図１５】図１４で示した蓋体の平面模式図である。
【図１６】図１４で示した蓋体の底面模式図である。
【図１７】図１４で示した蓋体の右側面模式図である。
【図１８】図１４で示した蓋体の展開模式図であり、図１６の図示方向に対応する図である。
【図１９】図１４で示した蓋体に含まれる下敷きパッドの平面模式図であり、図１６の図示方向に対応する図である。
【図２０】図１で示した容器の組立工程を示した正面模式図である。
【図２１】図１で示した容器の組立が完了した状態の背面模式図である。
【図２２】図１で示した容器の蓋体の蓋部を開いた使用状態の概略斜視図である。
【図２３】既に本出願人によって提案されている容器の正面模式図である。
【図２４】図２３で示した容器の平面模式図である。
【図２５】図２３で示した容器の展開模式図であり、図２４の図示方向に対応する図である。
【図２６】図２３で示した容器の内窄まり状態と外拡がり状態の正面模式図である。
【図２７】図２３で示した容器の内窄まり状態と外拡がり状態の平面模式図であり、図２６に対応する図である。
【発明を実施するための形態】
【００４４】
図１は、この発明の第１の実施の形態による、例えば猫の寝床として用いられる容器の概略斜視図である。
【００４５】
図を参照して、容器１１は、段ボール材質からなる容器本体１と、容器本体１の上方を着脱自在に覆う段ボール材質からなる蓋体２とから構成されている。蓋体２の後述する側壁部１０に形成される切欠き６は、容器１１においては開口７として機能する。
【００４６】
使用に際して、容器１１の開口７から、収納物を容器１１内部へ出し入れすることができるようになっている。
【００４７】
図２は図１で示した容器の容器本体の正面模式図であり、図３は図２で示した容器本体の背面模式図であり、図４は図２で示した容器本体の平面模式図であり、図５は図２で示した容器本体の底面模式図であり、図６は図２で示した容器本体の展開模式図であり、図４の図示方向に対応する図であり、図７は図２で示した容器本体に含まれる下敷きパッドの平面模式図であり、図４の図示方向に対応する図である。
【００４８】
尚、この実施の形態の容器本体１は、図２３で示した既に提案されている容器７１の構成と同一部分が多いので、ここでは相違点を中心に説明する。
【００４９】
これらの図を参照して、差込片３１〜３４の各々は略同一形状であり、被差込片３６、３７、３９の各々は同一形状であるので、それぞれ差込片３１及び被差込片３６を中心に説明する。
【００５０】
図６を参照して、差込片３１は、底面部１６に接続された差込支持部５９と、差込支持部５９に対して反時計方向にある差込片３１ａと、差込支持部５９に対して時計方向にある差込片３１ｂとからなる。差込片３１ａの上端部の一部に外方に延びる突出部４１ａが形成されている。
【００５１】
被差込片３６の２つ折りにする折り目９６ａ及び９６ｂには、開口部５１ａ及び５１ｂが形成されている。
【００５２】
図２を参照して、被差込片３６は板状体を水平方向の図６で示した折り目９６ａ及び９６ｂで２つ折りにされ、起立した差込片３１ａはその上端部が被差込片３６の図６で示した折り目９６ａ及び９６ｂの下面に沿って抜き差し自在に差し込まれている。
【００５３】
ここで、係合保持手段２１として、被差込片３６の図６で示した開口部５１ａに、差込片３１ａの突出部４１ａが係合するように差し込まれている。このように構成した理由は後述する。
【００５４】
次に、図６を参照して、被差込片３８について、被差込片３８及び隣接する差込片３３ａを中心に相違点を説明する。
【００５５】
差込片３３ａの上端部の一部に外方に延びる突出部４３ａが形成されている。被差込片３８の２つ折りにする折り目９８ａ及び９８ｂの中央には、開口部５５が形成されている。開口部５５の両端縁に隣接して、下方から上方に凹む凹み部５３ａ及び５３ｂが折り目９８ａ及び９８ｂに形成されている。
【００５６】
図３を参照して、被差込片３８は板状体を水平方向の図６で示した折り目９８ａ及び９８ｂで２つ折りにされ、差込片３３ａはその上端部が被差込片３８の図６で示した折り目９８ａ及び９８ｂの下面に沿って抜き差し自在に差し込まれている。
【００５７】
ここで、係合保持手段２２として、被差込片３８の図６で示した凹み部５３ａに、差込片３３ａの突出部４３ａが係合している。このように構成した理由は後述する。
【００５８】
図６を参照して、差込片３１及び３２のみに、後述する蓋体２と係合する垂下片５６及び５７が、それぞれ差込片３１の差込支持部５９及び差込片３２の差込支持部６０に形成されている。このように構成された理由は後述する。
【００５９】
容器本体１の差込片３１〜３４の各々及び被差込片３６〜３９の各々は、底面部１６と共に１枚の段ボールから一体的に形成されている。従って、容器本体１が１枚の板状素材で形成されるので、効率的な容器１１となる。
【００６０】
図７を参照して、下敷きパッド３は、平板形状を有し、下敷きパッド３の周縁の対向する位置に切欠き２４ａ及び２４ｂが形成されている。
【００６１】
図４及び図６を参照して、下敷きパッド３は、被差込片３７及び３９の間に容器本体１の底面部１６に向かって上方から押し込むように設置される。切欠き２４ａ及び２４ｂは、それぞれ被差込片３９及び３７の両端縁において、それぞれ被差込片３９の凸部６９及び被差込片３７の凸部６７に係合する。
【００６２】
図８は、図２で示した“Ａ”部分の拡大模式図である。
【００６３】
図を参照して、被差込片３６の図６で示した開口部５１ａ（図示せず）に、差込片３１ａの突出部４１ａが係合するように、係合保持手段２１として差し込まれている。これにより、差込片３１ａ及び被差込片３６の係合状態が安定するため、容器本体１の保形性が向上する。又、突出部４１ａが開口部５１ａ（図示せず）に係合すると、係合状態が目視できるため、組立の信頼性が向上する。
【００６４】
図９は、図３で示した“Ｂ”部分の拡大模式図である。
【００６５】
図を参照して、被差込片３８の凹み部５３ａに、差込片３３ａの突出部４３ａを係合保持手段２２として係合させている。これにより、突出部４３ａが凹み部５３ａに係合すると、差込片３３ａの移動が阻止される。尚、突出部４３ａのための開口が設けられないため、被差込片３８の加工用途が広がる。
【００６６】
図１０は図４で示したＸ−Ｘラインの端面図であり、図１１は図１０で示した“Ｃ”部分の拡大模式図である。尚、図１０に示されているように左右対称であるので、被差込片３７を中心に説明する。
【００６７】
これらの図を参照して、被差込片３７は、容器本体１の外面に位置する外面部１３７と、折り返されて容器本体１の内面に位置する内面部１４２とからなり、内面部１４２の下部に位置する凸部６７は、下敷きパッド３の切欠き２４ｂ及び底面部１６の開口４７とにそれぞれ当接している。よって、内面部１４２の拡がりが阻止されるので、容器１１の保形性がより向上する。
【００６８】
図１２は図４で示したＸＩＩ−ＸＩＩラインの端面図であり、図１３は図１２で示した“Ｄ”部分の拡大模式図である。
【００６９】
これらの図を参照して、図６で示した差込片３３ｂ及び３４ａが、それぞれ被差込片３７及び３９に挟まれている。又、差込片３３ｂの上端に位置する突出部４３ｂが、被差込片３７の上端部より突き出している。差込片３４ａの上端に位置する突出部４４ａも、被差込片３９の上端部より突き出している。
【００７０】
図１３を参照して、被差込片３７の内面部１４２の下端が、図４で示した切欠き２４ｂの周囲の外縁部分に位置する下敷きパッド３の上面を上方から押さえた状態で当接している。よって、下敷きパッド３の移動が阻止されるので、容器１１の保形性がより向上する。尚、後述する蓋体２のように、容器本体１を上下逆さにした場合でも、内面部１４２が下敷きパッド３を支持することになるので、下敷きパッド３は落ちることがない。
【００７１】
図１４は図１で示した容器の蓋体の正面模式図であり、図１５は図１４で示した蓋体の平面模式図であり、図１６は図１４で示した蓋体の底面模式図であり、図１７は図１４で示した蓋体の右側面模式図であり、図１８は図１４で示した蓋体の展開模式図であり、図１６の図示方向に対応する図であり、図１９は図１４で示した蓋体に含まれる下敷きパッドの平面模式図であり、図１６の図示方向に対応する図である。
【００７２】
これらの図を参照して、蓋体２は、差込片１０１〜１０３と、被差込片１０６〜１０９とから構成されており、前述した容器本体１を上下逆にしたものと基本的な構成は略同一であるので、相違点を中心に説明する。
【００７３】
図１８を参照して、差込片１０２の差込支持部６１の下端の一部に下方に延びる垂下片５８が形成されている。このように構成された理由は後述する。
【００７４】
被差込片１０６及び１０９に、それぞれ切欠き６ａ及び６ｂが形成されている。被差込片１０６の折り目１２６ａ及び１２６ｂには、開口１５５が形成されている。被差込片１０９の折り目１２８ａ及び１２８ｂには、開口１５６が形成されている。
【００７５】
蓋体２の平面部８に略円形の蓋部２７が、開閉自在に形成されている。蓋部２７には、略半円形状の切欠き２９が形成され、切欠き２９に指を差し込むことで、蓋部２７を開閉しやすいようになっている。
【００７６】
蓋体２は係合保持手段２１及び２２により、容器本体１と同様に構成されているため、蓋体２の平面部８に上方から力が加わっても側壁部１０が拡がりにくいので、蓋としての形状保持力が向上する。
【００７７】
図１９を参照して、下敷きパッド４の中央部分には、図１８で示した蓋部２７の大きさよりも小さな開口２８が形成されている。
【００７８】
すなわち、図１５を参照して、蓋部２７は、蓋部２７の下方に下敷きパッド４があるため、蓋体２の内部方向には開くことがなく、上方にのみ開くようになる。
【００７９】
図２０は図１で示した容器の組立工程を示した正面模式図であり、図２１は図１で示した容器の組立が完了した状態の背面模式図である。
【００８０】
これらの図を参照して、容器本体１の上方から、容器本体１を覆うように蓋体２を係合させる。このとき、蓋体２の差込片１０２に形成された垂下片５８を、容器本体１の被差込片３８に形成された図示しない開口部５５に差し込んで係合させる。同時に、容器本体１の差込片３１に形成された垂下片５６及び差込片３２に形成された垂下片５７を、それぞれ蓋体２の被差込片１０６に形成された図示しない開口１５５及び被差込片１０９に形成された図示しない開口１５６に差し込んで係合させる。
【００８１】
ここで、図２１を参照して、被差込片３８に差し込まれた垂下片５８は、差込片３３ａ及び３４ｂの間に位置することになる。よって、蓋体２を設置した際、差込片３３ａ及び３４ｂの差込方向の移動が阻止されるので容器本体１の狭まりが防止され、容器１１の設置状態が安定する。
【００８２】
図２２は、図１で示した容器の蓋体の蓋部を開いた使用状態の概略斜視図である。
【００８３】
図を参照して、蓋体２に形成された蓋部２７を上方に開くことで、側壁部１０の切欠き６により形成された開口７からだけでなく、平面部８に形成された開口３０からも、容器１１の内部に収納物を出し入れすることが可能となる。よって、内容量が拡大すると共に収納物の出し入れが容易となり、使い勝手の良い容器１１となる。尚、猫の寝床に用いた場合には、蓋部２７は蓋体２の内部方向には開かないようになっているので、蓋部２７を閉じた状態で、猫が蓋部２７の上に乗って遊ぶことができる。
【００８４】
尚、上記の実施の形態では、蓋体に蓋部が設置され、蓋体の側壁部には切欠きが形成されているが、蓋体には蓋部又は側壁部の切欠きのうち少なくとも一方があればよい。
【００８５】
又、上記の実施の形態では、容器は容器本体を覆う蓋体から構成されているが、容器本体のみであってもよい。
【００８６】
更に、上記の実施の形態では、係合保持手段は開口部及び凹み部を含むものであったが、どちらか一方のみでもよい。
【００８７】
更に、上記の実施の形態では、容器本体又は蓋体には垂下片を含むものであったが、垂下片はなくてもよい。
【００８８】
更に、上記の実施の形態では、蓋体は容器本体を上下逆さにしたものと基本的な構成が略同一であったが、蓋体は全く異なった構成のものでもよい。
【００８９】
更に、上記の実施の形態では、容器本体は蓋体の下方に位置するものであったが、容器本体を上下逆さにして既存の容器に蓋体として用いてもよい。
【００９０】
更に、上記の実施の形態では、容器本体は下敷きパッドを備えたものであったが、下敷きパッドはなくてもよい。
【００９１】
更に、上記の実施の形態では、差込片及び被差込片の各々は４つであったが、それぞれ少なくとも２つ以上あればよい。
【００９２】
更に、上記の実施の形態では、容器本体は１枚の板状素材から一体的に形成されたものであったが、複数の素材を独立に形成したものを組立てるものであってもよい。
【００９３】
更に、上記の実施の形態では、容器本体は段ボール素材からなるものであったが、他の素材からなるものであってもよい。
【符号の説明】
【００９４】
１…容器本体
２…蓋体
３〜４…下敷きパッド
６…切欠き
９…周縁
１０…側壁部
１１…容器
１６…底面部
１７…周縁
１８…側壁部
２１…係合保持手段
２２…係合保持手段
２４〜２５…切欠き
３１〜３４…差込片
３６〜３９…被差込片
４１〜４４…突出部
４６〜４７…開口
５１…開口部
５３…凹み部
５６〜５８…垂下片
６６〜６９…凸部
９６…折り目
９８…折り目
１０１〜１０３…差込片
１０６〜１０９…被差込片
１２６…折り目
１２８…折り目
１３７…外面部
１４２…内面部
１５５〜１５６…開口
尚、各図中同一符号は同一又は相当部分を示す。
【図１】
2014221019.tif 000003
【図２】
2014221019.tif 000004
【図３】
2014221019.tif 000005
【図４】
2014221019.tif 000006
【図５】
2014221019.tif 000007
【図６】
2014221019.tif 000008
【図７】
2014221019.tif 000009
【図８】
2014221019.tif 000010
【図９】
2014221019.tif 000011
【図１０】
2014221019.tif 000012
【図１１】
2014221019.tif 000013
【図１２】
2014221019.tif 000014
【図１３】
2014221019.tif 000015
【図１４】
2014221019.tif 000016
【図１５】
2014221019.tif 000017
【図１６】
2014221019.tif 000018
【図１７】
2014221019.tif 000019
【図１８】
2014221019.tif 000020
【図１９】
2014221019.tif 000021
【図２０】
2014221019.tif 000022
【図２１】
2014221019.tif 000023
【図２２】
2014221019.tif 000024
【図２３】
2014221019.tif 000025
【図２４】
2014221019.tif 000026
【図２５】
2014221019.tif 000027
【図２６】
2014221019.tif 000028
【図２７】
2014221019.tif 000029